(57)【要約】【課題】使用者が快適に使用可能な容器入り絵具を提供する。【解決手段】容器入り絵具１において、容器２は、チューブ３と当該チューブ３に装着されるキャップ４を有するものとする。キャップ４は、本体部２０と蓋部２１を有し、チューブ３の開口形成部に装着されるものとする。蓋部２１と本体部２０は、ヒンジ２２を介して開閉可能に結合されるものとする。本体部２０は、突出部４０を有し、突出部４０の先端に吐出口が開口するものとする。そして、本体部２０の突出部４０の周囲に、突出部４０の少なくとも一部を囲う側壁５１があり、当該側壁５１の外側にヒンジ２２が設けられたものとする。【選択図】図１
2022001495.tif 000002
【特許請求の範囲】
【請求項１】
容器入り絵具において、
容器は、チューブと当該チューブに装着されるキャップを有し、
前記チューブは一部に開口を形成する開口形成部があり、
前記キャップは、本体部と蓋部を有していて、前記開口形成部に装着されており、
前記蓋部と前記本体部は、ヒンジを介して開閉可能に結合されており、
前記本体部は、突出部を有し、当該突出部の先端に吐出口が開口し、
前記本体部の前記突出部の周囲に、前記突出部の少なくとも一部を囲う側壁があり、当該側壁の外側に前記ヒンジが設けられていることを特徴とする容器入り絵具。
【請求項２】
前記側壁はその高さが、漸次変化し、所定方向に向かうにつれて高さが高くなっていることを特徴とする請求項１に記載の容器入り絵具。
【請求項３】
前記本体部は、台座部を有し、当該台座部から前記突出部が突出しており、
前記台座部の周囲に形成される周部は、その高さが漸次変化していて側面から見て傾斜した形状であり、
前記周部は、前記台座部とは高さが異なる部分を有し、その一部は、前記台座部よりも高さが高く、他の一部は、前記台座部よりも高さが低いことを特徴とする請求項１又は２に記載の容器入り絵具。
【請求項４】
前記突出部の先端部分に広がりを有するラッパ状部が設けられていることを特徴とする請求項１乃至３のいずれかに記載の容器入り絵具。
【請求項５】
前記周部は、高段部と低段部を有し、前記蓋部を閉じた状態においては、前記蓋部の端面が前記低段部と接することを特徴とする請求項３に記載の容器入り絵具。
【発明の詳細な説明】
【技術分野】
【０００１】
本発明は、絵画等を制作する際に使用する絵具に関するものである。
【背景技術】
【０００２】
従来、学校等の教育現場では、絵画等を制作する授業が行われており、容器入り絵具が使用されている。例えば、複数の容器入り絵具から構成される１２色入り絵具セットや、２４色入りの絵具セットが知られており、生徒は、授業を受ける際にこれらを使用する。例えば、このような絵具セットで使用される絵具として、特許文献１や特許文献２に開示された絵具がある。
【先行技術文献】
【特許文献】
【０００３】
【特許文献１】特開２０１９−２０６６７８号公報
【特許文献２】特開２０１７−１１５０４９号公報
【発明の概要】
【発明が解決しようとする課題】
【０００４】
絵具は、乾くと取れ難いことから、キャップやチューブに付着した絵具汚れは、見栄えが悪いばかりか取り除くことが難しい。また、キャップ（蓋）の裏側で絵具が乾燥することで、キャップ（蓋）が空かなくなるという問題があった。
ところで、容器入り絵具には、蓋の紛失を防ぐべく、チューブに取り付けるキャップが本体部分と蓋部分を有し、本体部分と蓋部分がヒンジで連結されたものがある。しかしながら、このような容器入り絵具において、ヒンジ部分に絵具が付着して乾いてしまうと、蓋部分の開閉に問題が生じたり（蓋部分が動き難くなったり）、蓋部分が半開きのまま閉じた状態にならないといった問題が生じていた。
【０００５】
つまり、従来の容器入り絵具は、使用者が快適に使用するという観点から、改善の余地があった。
【０００６】
そこで本発明は、使用者が快適に使用可能な容器入り絵具を提供することを課題とする。
【課題を解決するための手段】
【０００７】
上記課題を解決するための請求項１に記載の発明は、容器入り絵具において、容器は、チューブと当該チューブに装着されるキャップを有し、前記チューブは一部に開口を形成する開口形成部があり、前記キャップは、本体部と蓋部を有していて、前記開口形成部に装着されており、前記蓋部と前記本体部は、ヒンジを介して開閉可能に結合されており、前記本体部は、突出部を有し、当該突出部の先端に吐出口が開口し、前記本体部の前記突出部の周囲に、前記突出部の少なくとも一部を囲う側壁があり、当該側壁の外側に前記ヒンジが設けられていることを特徴とする容器入り絵具である。
【０００８】
本発明の容器入り絵具によると、突出部の基端側に意図せずに絵の具が付着しても（漏れ出した絵具が付着しても）、側壁により、付着した絵具がヒンジ側に流れて行き難い（ヒンジまで流れることを阻止できる）。すなわち、ヒンジへの意図しない絵具の付着を抑制可能であり、それに起因した蓋部の開閉動作に係る不具合を抑制（防止）できる。
【０００９】
請求項２に記載の発明は、前記側壁はその高さが、漸次変化し、所定方向に向かうにつれて高さが高くなっていることを特徴とする請求項１に記載の容器入り絵具である。
【００１０】
請求項３に記載の発明は、前記本体部は、台座部を有し、当該台座部から前記突出部が突出しており、前記台座部の周囲に形成される周部は、その高さが漸次変化していて側面から見て傾斜した形状であり、前記周部は、前記台座部とは高さが異なる部分を有し、その一部は、前記台座部よりも高さが高く、他の一部は、前記台座部よりも高さが低いことを特徴とする請求項１又は２に記載の容器入り絵具である。
【００１１】
これらの構成によると、突出部を外側から見え易くすることが可能となる。このことから、突出部（吐出口）をパレット等に近づけて絵具を吐出させる際に、突出部（吐出口）をパレット等に近接させ易い。また、吐出させた絵の具の量を視認し易く、吐出量の調整が容易である。
【００１２】
請求項４に記載の発明は、前記突出部の先端部分に広がりを有するラッパ状部が設けられていることを特徴とする請求項１乃至３のいずれかに記載の容器入り絵具である。
【００１３】
かかる構成によると、吐出口の周辺への意図しない絵具の付着を防止可能であり、それに起因した蓋部の開閉動作に係る不具合を抑制（防止）できる。
【００１４】
請求項５に記載の発明は、前記周部は、高段部と低段部を有し、前記蓋部を閉じた状態においては、前記蓋部の端面が前記低段部と接することを特徴とする請求項３に記載の容器入り絵具である。
【００１５】
かかる構成によると、蓋部を閉じた際の蓋部の横ずれを防止することができる。
【発明の効果】
【００１６】
本発明によると、使用者が快適に使用可能な容器入り絵具を提供できる。
【図面の簡単な説明】
【００１７】
【図１】本発明の実施形態に係る容器入り絵具を示す斜視図であり、（ａ）は、キャップを開放姿勢とした状態を示し、（ｂ）は、キャップを閉塞姿勢とした状態を示す。
【図２】図１の容器入り絵具を示す斜視図であり、キャップをチューブから取り外した状態を示す。
【図３】図２のキャップを示す斜視図であり、（ａ）、（ｂ）はそれぞれ異なる方向からみた様子を示す。
【図４】開放姿勢としたキャップを示す断面図である。
【図５】開放姿勢としたキャップを示す平面図である。
【図６】（ａ）は、開放姿勢としたキャップの側面図であり、（ｂ）は、開放姿勢としたキャップの正面図であって、いずれも蓋部を省略して示す。
【図７】開放姿勢としたキャップを天地逆とし、蓋部を省略して示す図であり、（ａ）は側面図であり、（ｂ）は正面図である。
【図８】（ａ）は、閉塞姿勢としたキャップの側面図であり、（ｂ）は、閉塞姿勢から蓋部を微細に開いた状態としたキャップの側面図である。
【図９】（ａ）は、図２のＡの部分を示す斜視図であり、（ｂ）は、図５のＢの部分を示す平面図である。
【図１０】図１（ｂ）のキャップを破断して示す説明図であり、台座部に絵具が付着してしまった状態を示す。
【図１１】図１の容器入り絵具を示す説明図であり、容器から絵具を吐出させている様子を示す。
【発明を実施するための形態】
【００１８】
以下、本発明の実施形態に係る容器入り絵具１について、図面を参照しつつ詳細に説明する。なお、以下の説明において、特に断りがない限り、上下の位置関係は、図１の状態を基準に説明する。
【００１９】
容器入り絵具１は、図１で示されるように、容器２に収容された絵具であり、容器２は、絵具を収容したチューブ３と、チューブ３に対して取り付けられるキャップ４を有している。
【００２０】
チューブ３は、図２で示されるように、本体部１０と、開口形成部１１が一体に形成されたものであり、内部に絵具を収容可能な空間を有する。チューブ３は、全体が曲げや捩じりが容易な柔軟性材料によって形成されている。特に限定されるものではないが、本実施形態のチューブ３は、可撓性を有する合成樹脂製の部材としている。
【００２１】
本体部１０は、所定方向（図２では上下方向）に長さを有し、長手方向の一端側が閉塞され、他端側が開口形成部１１と連続する。
開口形成部１１は、略円筒状の部分であり、本体部１０よりも細く形成された部分である。開口形成部１１の外周面には、らせん状突起１１ａが設けられている。このらせん状突起１１ａは、取付用筒部３４（詳しくは後述する、図３等参照）と係合する部分である。つまり、開口形成部１１は、キャップ４が装着される部分であり、チューブ３側係合部として機能する。
開口形成部１１の内部空間は、本体部１０の内部空間と連通している。また、開口形成部１１は、長手方向の一端側が本体部１０と連続しており、他端側に内外を連通する開口１１ｂを有する。
【００２２】
キャップ４は、図２で示されるように、本体部２０と蓋部２１を有する。また、キャップ４は、本体部２０と蓋部２１に跨って設けられるヒンジ部２２（ヒンジ）を有し、本体部２０と蓋部２１とは、このヒンジ部２２を介して連結されている。このことから、蓋部２１は、本体部２０に対して回動可能に連結されている。そして、キャップ４（容器入り絵具１）は、図１等で示されるように、蓋部２１が開いた姿勢である開放姿勢（図１（ａ）参照）と、蓋部２１が閉じた姿勢である閉塞姿勢（図１（ｂ）参照）の間で姿勢変更が可能である。
【００２３】
本体部２０は、図２、図３（ａ）で示されるように、環状に連続する側壁部３０と、側壁部３０の内側に位置する台座部３１と、側壁部３０と台座部３１の間に位置する周部３２を有する。また、図３（ｂ）で示されるように、側壁部３０に囲まれた空間である本体内空間３３には、台座部３１の下方側に、取付用筒部３４が設けられている。さらに、取付用筒部３４の内側に、円環状に連続する円環壁部３５が設けられている。
【００２４】
側壁部３０の上下方向の長さは、図３（ａ）で示されるように、ヒンジ部２２側が最もが長く、その逆側が最も短い。以下の説明では、特に説明のない限り、ヒンジ部２２側を後方とし、その逆側を前方として説明する。
つまり、側壁部３０は、周方向で後方側へ向かうにつれ、高さが高くなる環状壁である。なお、ここでいう上下方向（高さ方向）は、図１で示されるように、容器入り絵具１の全体の長手方向でもあり、チューブ３とキャップ４の並び方向でもある。また、側壁部３０の周方向は、本体部２０の周方向でもある。
【００２５】
側壁部３０は、図３（ｂ）等で示されるように、横断面の少なくとも一部が略多角形状となるように連続している。本実施形態では、特に限定されるものではないが、少なくとも下方側の部分が丸みを帯びた多角形状となるように連続しており、具体的には、丸みを帯びた略六角形状となるように連続している。かかる構成によると、側壁部３０を円環状に連続するように形成する場合に比べ、キャップ４（本体部２０）をチューブ３に取り付ける際の手の滑りを軽減できる。
なお、ここでいう「平面視」とは、下側（チューブ３側）からみた平面視であり、下方から上方に向かう方向（チューブ３側からキャップ４側に向かう方向）を視線方向とした平面視である。
【００２６】
また、このように手の滑りを軽減できることから、本実施形態のキャップ４は、側壁部３０の外周面に、必ずしも滑り止めのための凹凸部分を設けなくてもよい（ローレット加工等を施さなくてもよい）。このように、滑り止めの突起や溝を形成しない構成によると、仮に側壁部３０の外周面に絵具が付着してしまっても、拭き取りが容易となる。
すなわち、側壁部３０の外周面は、実質的に平滑化された面とすることが好ましい。なお、「実質的に平滑化した面」とは、凹凸のない平滑化された面の他、絵の具の拭き取りに問題がない程度に微細な凹凸がある面を含む。例えば、側壁部３０の外周面は、凹凸高低差の小さいシボ加工を施してもよい。
【００２７】
台座部３１は、図３（ａ）で示されるように、上下方向に厚さを有する略円板状（平板状）の台板部３１ａと、台板部３１ａの周縁の一部から下方に延びる台座側壁部３１ｂを有する。
【００２８】
ここで、本体部２０は、台座部３１と一体に形成されたノズル部４０（突出部）を有する。ノズル部４０は、絵具を容器２の外部に吐出する際に絵具の流通路となる部分である。ノズル部４０は略円筒状の部分であり、上端部分に開口４１（吐出口）を有する。また、図４等で示されるように、ノズル部４０のうち、開口４１の下側に隣接する部分は、上方（チューブ３から離れる方向）に向かうにつれて拡径していく拡径部４２（ラッパ状部）となっている。
【００２９】
この拡径部４２では、ノズル部４０の筒状壁が、上方に向かうにつれて径方向外側（横断面の広がり方向で外側）へ向かう方向に延びている。また、上方に向かうにつれて内孔の横断面積が大きくなるように形成されている。さらに、ノズル部４０の筒状壁は、上方に向かうにつれて薄くなる（薄肉となる）。加えて、この筒状壁の延び方向の先端部分であり、開口４１の外側に位置する部分は、丸みを帯びた形状なっている。
そして、拡径部４２の内周面は、丸みを帯びた形状となっており、図４で示されるように、縦断面において円弧状に延びる湾曲面を有する。なお、ノズル部４０は、筒状体（筒状）であればよく、略円筒状に限らず、略角筒状とすることも考えられる。
【００３０】
周部３２は、図３等で示されるように、側壁部３０の上側部分と連続する部分であり、本体内空間３３を上方から覆う部分である。
この周部３２は、図５で示されるように、平面視において台座部３１の外側で環状に連続する部分であり、台座部３１よりの位置にある内側周部４５（高段部）と、内側周部４５の外側に位置する外側周部４６（低段部）によって構成されている。
なお、ここでいう「平面視」とは、上方から下方に向かう方向（キャップ４側からチューブ３側に向かう方向）を視線方向とした平面視である。
【００３１】
周部３２は、図３（ａ）で示されるように、前方から後方に向かうにつれて高さが高くなるように傾斜している。言い換えると、図６（ａ）で示されるように、周部３２は、上下方向に垂直な平面（以下、水平面とも称す）に対して傾斜しており、側面視において、その高さが漸次変化する。
【００３２】
具体的には、図５、図６で示されるように、内側周部４５の上面は、最も低位置となる前側部分と、最も高位置となる後側部分に平面部４５ａを有し、その間に位置する部分に傾斜面部４５ｂを有する。平面部４５ａは、水平面と平行な面であり、傾斜面部４５ｂは、水平面に対して傾斜する傾斜面である。また、図５で示されるように、内側周部４５の上面は、平面視において環状に連続する。
【００３３】
外側周部４６の上面は、図５、図６で示されるように、最も低位置となる前側部分と、最も高位置となる後側部分に平面部４６ａを有し、その間に位置する部分に傾斜面部４６ｂを有する。この上面の平面部４６ａもまた、水平面と平行な面となる。また、図５で示されるように、外側周部４６の上面は、側壁部３０の周方向に沿って前側部分で断続しつつ環状に延びる。すなわち、平面視で略Ｃ字状に延びている。
【００３４】
内側周部４５は、図６で示されるように、外側周部４６よりも隆起する部分となっている。つまり、周部３２において高さが漸次変化する各部において、内側周部４５の上面は、外側周部４６の上面よりも上側に位置する。なお、高さが漸次変化する各部は、前後方向（図６（ａ）では左右方向）の位置が同一となる各部である。
【００３５】
内側周部４５の上面と外側周部４６の上面は、段差を介して連続している。すなわち、図６（ｂ）で示されるように、内側周部４５の上面と外側周部４６の上面の間には、立壁状の部分である周部立壁部４７が形成されている。
【００３６】
取付用筒部３４は、図３（ｂ）、図４で示されるように、下方側が開放され、上側の大部分が台板部３１ａによって閉塞された略円筒状の部分である。この取付用筒部３４の内周面には、らせん状突起３４ａが形成されており、上記したチューブ３の開口形成部１１（図２参照）の内側に挿入することで、開口形成部１１と係合する部分である。すなわち、取付用筒部３４は、上記した開口形成部１１と対となるキャップ４側係合部として機能する。
【００３７】
円環壁部３５は、図３（ｂ）、図４で示されるように、台板部３１ａから下方に突出する立壁状の部分であり、円環状に連続している。この円環壁部３５は、キャップ４をチューブ３に取り付けたとき、開口形成部１１（図２参照）の内孔の内側に入り込む部分である。本実施形態の円環壁部３５は、キャップ４をチューブ３に取り付けたとき、開口形成部１１に略丁度入り込む（外周面が開口形成部１１の内周面に接触する）部分としている。また、図４で示されるように、円環壁部３５の内側空間は下方側が開放され、上方に位置するノズル部４０の内部空間と一連の空間を形成する。
【００３８】
ここで、上記した周部３２は、図３（ａ）等で示されるように、一部が台座部３１（台板部３１ａの上面）と同じ高さであり、一部が台座部３１よりも高位置に形成される。そして、他の一部が台座部３１よりも低位置に形成される。
そして、図３（ａ）等で示されるように、周部３２のうちで台座部３１よりも高位置に形成される部分と、台板部３１ａの上面の間に内側側壁部５０が設けられている。内側側壁部５０は、平面視（上方からみた平面視）で円弧状に連続する立壁部分であり、後方に向かうにつれて高さが高くなる部分である。
【００３９】
このことから、台座部３１（台板部３１ａの上面）よりも高位置となる部分に、側壁部３０の一部と、内側側壁部５０と、周部３２の一部によって形成される上側囲壁部５１（側壁）が形成されている。
【００４０】
上側囲壁部５１は、内部に空間を有する立壁部分となっている（図４等参照）。そして、図３（ａ）等で示されるように、ノズル部４０から離れた位置で、ノズル部４０の一部を囲うように形成されている。すなわち、上側囲壁部５１は、上方からみた平面視で略円弧状に延びており、ノズル部４０から左右方向の一方側に離れた位置から、ノズル部４０から後方に離れた位置を経て、ノズル部４０から左右方向の他方側に離れた位置まで延びている。すなわち、ノズル部４０の後方側の一部を囲うように延びている。
【００４１】
したがって、この上側囲壁部５１の上端部分は、図６で示されるように、側面視（左右方向を視線方向とした平面視）において傾斜する。すなわち、上側囲壁部５１の稜線部分は傾斜面となる。
また、上側囲壁部５１の外側部分は、ヒンジ部２２と連続する（ヒンジ部２２が設けられる）部分となる。具体的には、上側囲壁部５１の一部となる側壁部３０のうち、上端部分とその隣接部分がヒンジ部２２と連続する部分となる。ヒンジ部２２のうちで本体部２０側の部分は、ノズル部４０の基端部分よりも高位置であり、突出端部分よりも低位置となる位置に設けられる。
【００４２】
ここで、本実施形態では、図７（ａ）で示されるように、本体部２０を側面視したとき、ノズル部４０の先端部分（図７（ａ）では下端部分）のうち、前端（図７（ａ）では右端）となる位置をＰ１とする。そして、同側面視において、周部３２（内側周部４５）の前端部分のうち、上端（図７（ａ）では下端）となる位置をＰ２とする。そして、前後方向に延びる直線Ｌ１と、Ｐ１とＰ２を結ぶ線分を含む直線Ｌ２のなす角θ１を４０度以上としている。θ１は、４０度以上が好ましく、５０度以上がより好ましく、５５度以上がさらに好ましい。本実施形態では、θ１を５５度としている。
【００４３】
また、図７（ａ）で示されるように、本体部２０を側面視したとき、ノズル部４０の先端部分における中心（前後方向の中心）となる位置を含んで上下方向に延びる仮想線Ｌαと、外側周部４６が重なる位置をＰ３とする。
【００４４】
そして、図７（ｂ）で示されるように、本体部２０を正面視したとき、ノズル部４０の先端部分（図７（ｂ）では下端部分）のうち、Ｐ３側の端部となる位置をＰ４とする。そして、正面視において左右方向に延びる直線Ｌ３と、Ｐ３とＰ４を結ぶ線分を含む直線Ｌ４のなす角θ２を２０度以上としている。θ２は、２０度以上が好ましく、２５度以上がより好ましく、３０度以上がさらに好ましい。本実施形態では、θ２を３０度としている。
【００４５】
ここで、本体部２０は、正面視において左右対称の部材であり、ノズル部４０の先端部分における中心（左右方向の中心）を含んで上下方向に延びる仮想線Ｌβ（中心線）を対称軸として線対称となっている。そして、仮想線Ｌβを対称軸としてＰ３と線対称の位置をＰ３´とし、仮想線Ｌβを対称軸としてＰ４と線対称の位置をＰ４´とすると、直線Ｌ３と、Ｐ３´とＰ４´を結ぶ線分を含む直線Ｌ４´のなす角θ２´もまた２０度以上となっている。すなわち、θ２´はθ２と同じ角度であり、本実施形態では、θ２´を３０度としている。
【００４６】
以上のように、上記θ１を４０度以上とし、上記θ２、θ２´を２０度以上とすることで、容器入り絵具１を使用するとき、ノズル部４０を見やすくすることが可能となる。すなわち、パレット等の吐出対象物に絵具を吐出するとき、吐出対象物にノズル部４０を近づけ易い。また、ノズル部４０から吐出する絵具の量を視認し易く、吐出量の調整が容易である。これらのことから、ノズル部４０から絵具が垂れてしまったり、絵具を必要以上に吐出させたりすることに起因する絵具汚れの付着を防止できる。また、ノズル部４０及びその周辺に絵具が付着しても、すぐに気づくことができる。
【００４７】
具体的には、上記θ１を４０度以上とすることで、ノズル部４０の開口４１を下に向け、ノズル部４０が上下方向に延びた姿勢（図７（ａ）参照）で容器入り絵具１を使用する際、容器入り絵具１を前方上側（図７（ａ）では右上側）から視認し易くできる。すなわち、キャップ４の前端からさらに前方に離れた位置であり、上方に離れた位置からノズルを見易くできる。
また、上記θ２、θ２´を２０度以上とすることで、ノズル部４０の開口４１を下に向け、ノズル部４０が上下方向に延びた姿勢（図７（ａ）参照）で容器入り絵具１を使用する際、容器入り絵具１を側方上側（図７（ａ）では手前側上方）から視認し易くできる。すなわち、キャップ４の側方からさらに外側に離れた位置であり、上方に離れた位置からノズルを見易くできる。
【００４８】
蓋部２１は、図１（ｂ）等で示すように、天蓋部６０と、蓋側側壁部６１を有する。
天蓋部６０は、閉塞姿勢時に本体部２０の上方に位置し、本体部２０の略全体を覆う平板状の部分である。また、天蓋部６０は、図１０で示されるように、閉塞姿勢において、平面視における中心側部分（図１０では左右方向の中心部分）がやや下方に窪んだ板体となっている。さらに、図１（ａ）等で示されるように、天蓋部６０の裏面（閉塞姿勢時に下面となる面）には、突起栓部６２が形成されている。
【００４９】
突起栓部６２は、閉塞姿勢時に天蓋部６０から下方に向かって突出する突起部分である（図１０参照）。また、突起栓部６２は、図３（ａ）、図１０で示されるように、略有底円筒状の部分となっている。つまり、突起栓部６２は、突出端部に開口を有し、基端側の端部が閉塞された内孔を有する。また、突起栓部６２は、突出端となる部分から側面にかけて丸みを帯びた形状となっている。
【００５０】
蓋側側壁部６１は、図１（ａ）等で示されるように、略環状に連続する立壁状の部分であり、詳細には、ヒンジ部２２が形成されている部分で断続しつつ環状に延びている。詳細には、図５で示されるように、閉塞姿勢時に下方側からみた平面視において、少なくとも下端側の部分が丸みを帯びた多角形状となるように断続しつつ延びている。具体的には、丸みを帯びた略六角形状となるように断続しつつ延びている。蓋側側壁部６１は、突起栓部６２から離れた位置で、突起栓部６２を囲うように延びる部分でもある。すなわち、突起栓部６２のうち、ヒンジ部２２側の一部を除く大部分を囲うように延びている。
【００５１】
蓋側側壁部６１は、図１（ｂ）等で示されるように、閉塞姿勢時において、天蓋部６０の下方に位置し、天蓋部６０の下側部分（裏面）から下方に突出する部分である。そして、図１（ａ）等で示されるように、ヒンジ部２２が形成されている部分（閉塞姿勢時に後側となる部分）の上下方向の長さが最も短く、その逆側が最も長い。つまり、蓋側側壁部６１は、閉塞姿勢時において、周方向で後方側へ向かうにつれ、高さが低くなる。
蓋側側壁部６１の外周面は、上記した側壁部３０の外周面と同様に、実質的に平滑化された面とすることが好ましい。
【００５２】
ここで、キャップ４を閉塞姿勢とすると、蓋側側壁部６１の突出端部（閉塞姿勢時における下端部）が、外側周部４６の上面と接触する。また、内側周部４５が蓋側側壁部６１で囲まれた空間に入り込み、周部立壁部４７が蓋側側壁部６１の内周面と接触する。
この構成によると、閉塞姿勢とするとき、内側周部４５が蓋部２１の横ずれを防止するためのガイド部材として機能する。
【００５３】
また閉塞姿勢では、図８（ａ）で示されるように、前側（図８（ａ）では左側）部分では、蓋側側壁部６１の前端部分が、本体部２０側の側壁部３０の前端部分よりも前方に位置し、これらが段差を介して連続した状態となる。すなわち、キャップ４は、閉塞姿勢において、側面の一部に段差部６５を有しており、蓋側側壁部６１の下端部分の一部が下方側から視認可能となっている。かかる構成によると、キャップ４を閉塞姿勢から開放姿勢に移行させるとき、段差部６５が指を掛ける部分として機能し、側壁部３０及び蓋側側壁部６１の外周面を平滑化してもキャップ４を開ける操作が容易である。
【００５４】
さらに、上記構成によると、図８（ｂ）で示されるように、蓋部２１がやや開いた状態としても、台座部３１やノズル部４０が外部から視認されない構造とすることができる。また、このように蓋部２１がやや空いた状態でも、ある程度の密閉性を確保できる。
【００５５】
ヒンジ部２２は、図９で示されるように、第１片部７０及び第２片部７１と、その間で屈曲しつつ延びる弾性片部７２を有する。
【００５６】
第１片部７０は、本体側突起部７０ａ及び蓋側突起部７０ｂと、これらの間に位置する突起間連結部７０ｃを有する。本体側突起部７０ａは、本体部２０における側壁部３０の外周面から外側に突出し、側面視形状が略三角形状となる突起部分である。蓋側突起部７０ｂは、蓋側側壁部６１の外周面から外側に突出し、側面視形状が略三角形状となる突起部分である。
【００５７】
開放姿勢においては、本体側突起部７０ａ、蓋側突起部７０ｂは、互いに近づく方向に突出する。対して、閉塞姿勢では、本体側突起部７０ａ、蓋側突起部７０ｂは、上下方向に並んだ状態となる。開放姿勢、閉塞姿勢の間で姿勢変更するとき、突起間連結部７０ｃが適宜湾曲することで、本体側突起部７０ａに対して蓋側突起部７０ｂが回動する。
第２片部７１もまた、本体側突起部７１ａと、蓋側突起部７１ｂと、突起間連結部７１ｃを有する。第２片部７１は、第１片部７０と略同様の部分であるので、重複する説明を省略する。
【００５８】
弾性片部７２は、板バネの如く弾性変形可能な（弾性力を有する）部分であり、開放姿勢において略Ｖ字状に屈曲しつつ延びる（図４等参照）。対して、閉塞姿勢では、略Ｌ字状に屈曲しつつ延び（図１０等参照）、蓋部２１を下方側に押し付ける。すなわち、弾性片部７２は、一部で屈曲しつつ延びる平板状の部分であり、本体部２０から屈曲部分まで延びる部分と、蓋部２１から屈曲部まで延びる部分とが一体となって形成されている。そして、開放姿勢、閉塞姿勢の間で姿勢変更するとき、屈曲部分における屈曲の角度が変更される。特に限定されるものではないが、本実施形態では、弾性片部７２の付け根部分（本体部２０、蓋部２１に隣接する部分）の厚みを０．４ｍｍ以上とし、幅を４．５ｍｍ以上としている。
【００５９】
本実施形態の容器入り絵具１は、アラビアガムやデキストリンなどの水溶性樹脂と顔料により構成された透明水彩と称される絵具であってもよい。また、透明水彩と構成成分が同じであり、樹脂と顔料の比率が異なるポスターカラー（不透明水彩）と称される絵具であってもよい。また、アクリル樹脂と顔料により構成されるアクリルカラーと称される絵具であってもよい。また、アクリルカラーと構成成分が同じであり、樹脂と顔料の比率が異なるアクリルガッシュと称される絵具であってもよい。
本実施形態の容器入り絵具１は、上記したいずれかの絵具（透明水彩、ポスターカラー、アクリルカラー、アクリルガッシュ）とし、下記測定１において、τ=１００Ｐａの時のＧ´(貯蔵弾性率)の値が１以上１００００以下のものとする。より好ましくは、Ｇ´の値τ=１００Ｐａの時のＧ´の値が１以上５０００以下のものとする。
［測定１］
レオメーター「Ｒｈｅｏ  Ｓｔｒｅｓｓ  ６０００」（ＨＡＡＫＥ製）を使用し、２５℃にて応力/歪依存測定を行う。その際、０Ｐａから１，０００Ｐａまで周波数を１Ｈｚで変化させて測定する。
【００６０】
本実施形態の容器入り絵具１は、大型の所謂共同制作用の絵具であってもよい。すなわち、容器２の大きさは適宜変更してもよい。
【００６１】
本実施形態の容器入り絵具１は、上記した容器２に、上記した絵具を収容することで、図１１で示されるように、容器入り絵具１を寝かせた姿勢で絵具を吐出させるとき、ノズル部４０の外側側面部分に絵具を付着させ難くすることができる。すなわち、ノズル部４０に上記した拡径部４２を設け、上記した絵具を吐出させることで、吐出する絵具を台座部３１側に回り込み難くすることが可能となる。したがって、ノズル部４０の先端部分（図１１では左端部分）の周辺において、ノズル部４０の側方部分（図１１では下方部分）に絵具を付着させ難くすることが可能となる。このことから、ノズル部４０の先端部分が汚れ難い。
また、ノズル部４０の先端部分に絵具が付着した状態で閉塞姿勢とすると、ノズル部４０と蓋部２１に跨って絵具が付着し、その後に、絵具が乾燥して固まることで、蓋部２１を開き難くなるという問題の発生が考えられる。しかしながら、本実施形態の容器入り絵具１によると、このような蓋部２１を開く際の不具合の発生を防止（抑制）できる。
【００６２】
本実施形態の容器入り絵具１は、図１０で示されるように、ノズル部４０の基端部分よりも上方に位置する上側囲壁部５１の外側にヒンジ部２２が形成されている。このような構成とすると、閉塞姿勢時にノズル部４０の上側を蓋部２１で覆うとき、蓋部２１の裏面に設けた突起栓部６２を上方からノズル部４０に挿入する構成とし、且つ、上下方向に延びるノズル部４０の長さを長くしても、蓋部２１の開閉が容易である。
このように、本実施形態の容器入り絵具１では、ノズル部４０の長さを長くすることが可能であり、台座部３１の上面から蓋部２１の下面までの長さを長くすることができる。言い換えると、閉塞姿勢としたときの蓋部２１の下方側の空間を広くすることができる。
【００６３】
ここで、台座部３１の上面から蓋部２１の下面までの長さが短い場合、図１０で示されるように、台座部３１の上に絵具が付着してしまうと、蓋部２１を閉じたとき、蓋部２１の下面が台座部３１の上の絵具に接触してしまうことが考えられる。この場合、閉塞姿勢において、台座部３１から蓋部２１までの間に絵具が配されるので、絵具が固まってしまうと、蓋部２１が開き難くなるという問題が発生する。しかしながら、本実施形態の容器入り絵具１では、このような蓋部２１を開く際の不具合の発生を防止（抑制）できる。
【００６４】
また、本実施形態の容器入り絵具１は、容器２に上記した絵具が収容され、上側囲壁部５１が設けられている。このため、図１０で示されるように、台座部３１の上に絵具が付着してしまい、その後に、容器入り絵具１を傾けて置いても、台座部３１の上の絵具がヒンジ部２２まで流れて行き難い。このことから、絵具がヒンジ部２２に付着し、その後に固まってしまうことに起因する蓋部２１の開閉操作の不具合の発生を防止（抑制）できる。
【符号の説明】
【００６５】
１  容器入り絵具
２  容器
３  チューブ
４  キャップ
１１  開口形成部
２０  本体部
２１  蓋部
２２  ヒンジ部（ヒンジ）
３１  台座部
３２  周部
４０  ノズル部（突出部）
４１  開口（吐出口）
４２  拡径部（ラッパ状部）
４５  内側周部（高段部）
４６  外側周部（低段部）
５１  上側囲壁部（側壁）
【図１】
2022001495.tif 000003
【図２】
2022001495.tif 000004
【図３】
2022001495.tif 000005
【図４】
2022001495.tif 000006
【図５】
2022001495.tif 000007
【図６】
2022001495.tif 000008
【図７】
2022001495.tif 000009
【図８】
2022001495.tif 000010
【図９】
2022001495.tif 000011
【図１０】
2022001495.tif 000012
【図１１】
2022001495.tif 000013